(57)【要約】【課題】反応特性の大なる酸素活性種を生成する放電部を被処理水中に配設させることで、汚染物質の分解および微生物の殺菌、死滅を可能とした水処理方法および水処理装置を実現する。【解決手段】内壁に酸素活性種を生成するポリアニリン１２が製膜され、被処理水が下方から上方に向けて流通される通水管１１と、被処理水に高電圧パルスを印加して放電する第１、第２放電部１４、１５とを備え、第１、第２放電部１４、１５は、通水管１１に少なくとも二つ以上配置され、上流側の第１放電部１４によって被処理水から酸素活性種および酸素を生成させてポリアニリン１２に供給させた後、下流側の第２放電部１５によってより多くの酸素活性種を生成させて被処理水中の汚染物質の分解および微生物の殺菌を行なうように構成した。これにより、汚染物質の分解、微生物の殺菌、死滅を可能とした。【選択図】　　　　図２
2004089935.tif 000002
【特許請求の範囲】
【請求項１】
内壁に酸素活性種を生成するポリアニリン（１２）が製膜され被処理水が流通される通水管（１１）に高電圧パルスを印加する放電部（１４、１５）を配置して前記被処理水を電気化学的に処理する水処理方法であって、
前記放電部（１４、１５）は前記通水管（１１）に少なくとも二つ以上配置し、上流側の第１放電部（１４）によって前記被処理水から酸素活性種および酸素を生成させて前記ポリアニリン（１２）に供給させた後、下流側の第２放電部（１５）によってより多くの酸素活性種を生成させて前記被処理水中の汚染物質の分解および微生物の殺菌を行なうことを特徴とする水処理方法。
【請求項２】
前記被処理水が旋回手段（１３）により下方から上方に向けて旋回されていることを特徴とする請求項１に記載の水処理方法。
【請求項３】
前記通水管（１１）には、前記放電部（１４、１５）により酸素活性種のうち、おもにヒドロキシラジカル（ＯＨ・）が生成されていることを特徴とする請求項１に記載の水処理方法。
【請求項４】
被処理水を電気化学的に処理する水処理装置において、
内壁に酸素活性種を生成するポリアニリン（１２）が製膜され、前記被処理水が下方から上方に向けて流通される通水管（１１）と、
前記通水管（１１）に配置され、前記被処理水に高電圧パルスを印加して衝撃波、紫外線を発生する放電部（１４、１５）とを備え、
前記放電部（１４、１５）は、前記通水管（１１）に少なくとも二つ以上配置され、上流側の第１放電部（１４）によって前記被処理水から酸素活性種および酸素を生成させて前記ポリアニリン（１２）に供給させた後、下流側の第２放電部（１５）によってより多くの酸素活性種を生成させて前記被処理水中の汚染物質の分解および微生物の殺菌を行なうように構成したことを特徴とする水処理装置。
【請求項５】
前記通水管（１１）には、前記被処理水が旋回するように旋回手段（１３）が設けられていることを特徴とする請求項４に記載の水処理装置。
【請求項６】
前記通水管（１１）および前記放電部（１４、１５）は、互いに複数個、並列に設けたことを特徴とする請求項４に記載の水処理装置。
【請求項７】
前記放電部（１４、１５）は、前記被処理水から酸素活性種のうち、おもにヒドロキシラジカル（ＯＨ・）が生成されることを特徴とする請求項４ないし請求項６のいずれか一項に記載の水処理装置。
【発明の詳細な説明】
【０００１】
【発明の属する技術分野】
本発明は、被処理水を電気化学的に処理する水処理方法および水処理装置に関するものであり、特に、被処理水から酸素活性種であるヒドロキシラジカルの生成に関する。
【０００２】
【従来の技術】
従来、この種の水処理方法および水処理装置として、例えば、特開平１０−９９８６３号公報に開示されている。この公報では、殺菌処理すべき被処理水が溜められた被処理水槽と、その少なくとも一部が被処理水中に浸かるように配置された陽極と、表面にポリアニリン膜が付着し、このポリアニリン膜が被処理水中に浸かるように配置された陰極と、陽極および陰極に電流を与える電流源とを備えたものである。
【０００３】
そして、陽極と陰極間を間歇的にまたは連続的に通電しながらポリアニリンが被処理水中の溶存酸素を還元することにより生成するスーパーオキサイド（Ｏ・２−）により被処理水中に含まれる微生物を殺菌するようにしている。つまり、ポリアニリンを被処理水に接触させるとこれが被処理水中の溶存酸素（Ｏ２）を還元して優れた殺菌作用を示すスーパーオキシド（Ｏ・２−）を生成させ、しかも、酸素を還元することによって一旦酸化されたポリアニリンが被処理水中の電極に流される還元電流によって電気化学的に還元されて再び被処理水中の酸素を還元しうるポリアニリンに再生させるものである。従って、ポリアニリンによるスーパーオキシド（Ｏ・２−）の生成が途絶えることなく行われることとなり、多量の被処理水であっても被処理水中の微生物を確実に殺菌することができるようになっている。
【０００４】
【発明が解決しようとする課題】
しかしながら、上記公報によれば、被処理水中の溶存酸素（Ｏ２）が効率的にポリアニリンに接触させるために被処理水を攪拌させるように構成させているが、被処理水槽内に貯められた被処理水中の溶存酸素（Ｏ２）が消耗してくると上述のスーパーオキシド（Ｏ・２−）の生成およびポリアニリンの還元が連続的に行なわれなくなる問題がある。また、このスーパーオキシド（Ｏ・２−）は、一般的に他の酸素活性種に比べて殺菌作用の反応特性が低いため、細菌に対しては有効的であるが、大型のプランクトンなどに対しては充分な効果が発揮できない問題がある。
【０００５】
そこで、本発明の目的は、上記点を鑑みたものであり、反応特性の大なる酸素活性種を生成する放電部を被処理水中に配設させることで、汚染物質の分解および微生物の殺菌、死滅を可能とした水処理方法および水処理装置を提供することにある。
【０００６】
【課題を解決するための手段】
上記、目的を達成するために、請求項１ないし請求項７に記載の技術的手段を採用する。すなわち、請求項１に記載の発明では、内壁に酸素活性種を生成するポリアニリン（１２）が製膜され被処理水が流通される通水管（１１）に高電圧パルスを印加する放電部（１４、１５）を配置して被処理水を電気化学的に処理する水処理方法であって、
放電部（１４、１５）は通水管（１１）に少なくとも二つ以上配置し、上流側の第１放電部（１４）によって被処理水から酸素活性種および酸素を生成させてポリアニリン（１２）に供給させた後、下流側の第２放電部（１５）によってより多くの酸素活性種を生成させて被処理水中の汚染物質の分解および微生物の殺菌を行なうことを特徴としている。
【０００７】
請求項１に記載の発明によれば、電極間に被処理水を流通させて電極間で放電させることにより被処理水の浄化が可能であることは知られている。そこで、本発明では、ポリアニリン（１２）が製膜された通水管（１１）に放電部（１４、１５）を少なくとも二つ以上配置して、上流側の第１放電部（１４）によって被処理水から酸素活性種および酸素を生成させてポリアニリン（１２）に供給させた後、下流側の第２放電部（１５）によってより多くの酸素活性種を生成させて被処理水中の汚染物質の分解および微生物の殺菌を行なうことにより、第１放電部（１４）によって、酸素活性種であるヒドロシキラジカル（ＯＨ・）や溶存酸素（Ｏ２）が生成され、ポリアニリン（１２）によって、溶存酸素（Ｏ２）から酸素活性種であるスーパーオキシド（Ｏ・２−）が生成され、かつ第２放電部（１５）によってスーパーオキシド（Ｏ・２−）からヒドロシキラジカル（ＯＨ・）が生成される。
【０００８】
このヒドロシキラジカル（ＯＨ・）は、酸素活性種のうちで、特に殺菌作用の反応特性や酸化力が優れているため、有機物などの化学物質の分解や細菌、植物性プランクトンなど微生物の殺菌、死滅を行なうことができる。
【０００９】
また、第１放電部（１４）および第２放電部（１５）を複数個多段に配置させることにより、上述の効果が繰り返されることで被処理水の浄化能力を高めることができる。従って、大型のプランクトンなど微生物の殺菌能力を必要とするタンカーや貨物船に積載されるバラスト水の浄化に好適である。
【００１０】
請求項２に記載の発明では、被処理水が旋回手段（１３）により下方から上方に向けて旋回されていることを特徴としている。
【００１１】
請求項２に記載の発明によれば、旋回手段（１３）により被処理水の流通を旋回させることにより、満遍なく被処理水中の溶存酸素がポリアニリン（１２）に供給されることで、このポリアニリン（１２）によるスーパーオキシド（Ｏ・２−）の生成が途絶えることなく行なうことができる。
【００１２】
また、被処理水を下方から上方に向けて流通させることにより、第１放電部（１４）によって発生した気泡が第２放電部（１５）に送り込まれ、第２放電部（１５）においても、この気泡の表面でも放電が起こることで、更なるヒドロキシラジカル（ＯＨ・）が生成できる。
【００１３】
請求項３に記載の発明では、通水管（１１）には、放電部（１４、１５）により酸素活性種のうち、おもにヒドロキシラジカル（ＯＨ・）が生成されていることを特徴としている。
【００１４】
請求項３に記載の発明によれば、請求項１で述べたように、ヒドロシキラジカル（ＯＨ・）は、酸素活性種のうちで、殺菌作用の反応特性や酸化力が優れているために化学物質の分解や細菌、植物プランクトンなど微生物の殺菌、死滅を行なうことができる。
【００１５】
請求項４に記載の発明では、被処理水を電気化学的に処理する水処理装置において、内壁に酸素活性種を生成するポリアニリン（１２）が製膜され、被処理水が下方から上方に向けて流通される通水管（１１）と、この通水管（１１）に配置され、被処理水に高電圧パルスを印加して衝撃波、紫外線を発生する放電部（１４、１５）とを備え、
放電部（１４、１５）は、通水管（１１）に少なくとも二つ以上配置され、上流側の第１放電部（１４）によって被処理水から酸素活性種および酸素を生成させてポリアニリン（１２）に供給させた後、下流側の第２放電部（１５）によってより多くの酸素活性種を生成させて被処理水中の汚染物質の分解および微生物の殺菌を行なうように構成したことを特徴としている。
【００１６】
請求項４に記載の発明によれば、具体的には、ポリアニリン（１２）が製膜された通水管（１１）に、第１放電部（１４）および第２放電部（１５）が配置させて、上流側の第１放電部（１４）によって被処理水から酸素活性種および酸素を生成させてポリアニリン（１２）に供給させた後、下流側の第２放電部（１５）によってより多くの酸素活性種を生成させて被処理水中の汚染物質の分解および微生物の殺菌を行なうように構成したことにより、請求項１と同様な効果を奏する。
【００１７】
請求項５に記載の発明では、通水管（１１）には、被処理水が旋回するように旋回手段（１３）が設けられていることを特徴としている。
【００１８】
請求項５に記載の発明によれば、旋回手段（１３）が設けられていることにより、通水管（１１）内を流通する被処理水中の溶存酸素が満遍なくポリアニリン（１２）に供給されることで、このポリアニリン（１２）によるスーパーオキシド（Ｏ・２−）の生成が途絶えることなく行なうことができる。
【００１９】
請求項６に記載の発明では、通水管（１１）および放電部（１４、１５）は、互いに複数個、並列に設けたことを特徴としている。
【００２０】
請求項６に記載の発明によれば、複数個設けることにより、被処理水の浄化能力を高めることができる。従って、大型の殺菌能力を必要とするタンカーや貨物船に積載されるバラスト水の浄化に好適である。
【００２１】
請求項７に記載の発明では、放電部（１４、１５）は、被処理水から酸素活性種のうち、おもにヒドロキシラジカル（ＯＨ・）が生成されることを特徴としている。
【００２２】
請求項７に記載の発明によれば、請求項３と同様の効果を奏する。
【００２３】
なお、上記各手段の括弧内の符号は、後述する実施形態の具体的手段との対応関係を示すものである。
【００２４】
【発明の実施の形態】
以下、本発明を閉鎖性水域（例えば、湖沼、内湾）で汚染された被処理水を浄化する水処理装置に適用した一実施形態を図１ないし図５に基づいて説明する。因みに、閉鎖性水域での被処理水には、細菌（バクテリア）、菌、糸状菌（微）、大腸菌、酵母、変形菌、単細胞の藻類、原生動物、ウィルス、植物性プランクトンなどの微生物が含まれており、本実施形態の水処理装置は、被処理水に含まれる汚染物質（有機物など）の分解およびこれらの微生物を殺菌、死滅させる水処理装置である。
【００２５】
本実施形態の水処理装置１０は、図１に示すように、被処理水が下方から上方に向けて流通される通水管１１、この通水管１１に配置され、被処理水に高電圧パルスを印加して放電させる第１、第２放電部１４、１５、被処理水を通水管１１に圧送する送水ポンプ１６、および第１、第２放電部１４、１５に高電圧を通電させる高圧電源供給手段１７から構成されている。
【００２６】
通水管１１は、金属から形成され、かつ複数個、並列に設けられ、それぞれが被処理水を下方から上方に向けて流通するように配置されている。そして、通水管１１には、図２に示すように、内壁に酸素活性種を生成するポリアニリン１２が製膜されている。
【００２７】
このポリアニリン１２は、還元によって通水管１１を流通する被処理水に含まれる溶存酸素（Ｏ２）から酸素活性種の一つであるスーパーオキシド（Ｏ・２−）を生成させるもので、図示しない支持体の表面にポリアニリン膜を形成して通水管１１の内壁面に製膜されている。この支持体は導電性素材からなり、かつある程度の厚みを有するブロック状の多孔質構造体で形成されている。
【００２８】
これは、ある程度の厚みを有するブロック状の多孔質構造体であることにより、表面に形成されたポリアニリン膜だけでなく、内部に形成されたポリアニリン膜にも被処理水が接触して、スーパーオキシド（Ｏ・２−）の生成効率が高くなり、さらに、導電性であることにより、後述する第１、第２放電部１４、１５の陰極側に流れる還元電流が支持体にも流れることで、還元によって一旦酸化したポリアニリン膜の再生反応が行なわれ、ポリアニリンの再生効率が向上するためである。なお、このような導電性素材からなるブロック状の多孔質構造体としては、炭素繊維からなるフェルトやマット、または炭素材を多数の連続孔を有するブロック状体に成形した立体成形物などがある。
【００２９】
また、通水管１１の上流端には、通水管１１内に流通する被処理水の流れを旋回させるための旋回手段１３が設けられている。これは、被処理水に含まれる溶存酸素（Ｏ２）がポリアニリン１２に満遍なく供給されるように構成してある。
【００３０】
また、通水管１１には、少なくとも二つ以上の第１、第２放電部１４、１５を配設させている。第１、第２放電部１４、１５は、陽極１４ａ、１５ａおよび陰極１４ｂ、１５ｂが被処理水に浸るように形成されるとともに、一方の陰極１４ｂ、１５ｂ側がポリアニリン１２に接触するように配設されている。なお、１４ｃ、１５ｃは、陽極１４ａ、１５ａおよび陰極１４ｂ、１５ｂを固定するセラミックからなる絶縁部材である。
【００３１】
また、この第１、第２放電部１４、１５は、高圧電源供給手段１７に接続され、高電圧パルスが陽極１４ａ、１５ａと陰極１４ｂ、１５ｂとの間に印加されることにより被処理水中で放電する。本実施形態では、上流側に配設された第１放電部１４と下流側に配設された第２放電部１５との少なくとも二箇所の放電によって、通水管１１内を流通する被処理水の浄化を行なうものである。
【００３２】
１９は、通水管１１を流通させた被処理水に含まれる気泡を除去するための気液分離タンクであって、この部位にて被処理水中の気泡が除去されて流出口１９ａから浄化された液体の被処理水が流出される。
【００３３】
また、送水ポンプ１６の上流側は、閉鎖性水域などから回収した汚染物質の含まれる被処理水を貯える貯水タンク２０に接続されて、送水ポンプ１６を作動させることで、水処理装置１０内に浄化対象となる被処理水が送水されるように構成されている。なお、２１は、貯水タンク２０内の貯えられた被処理水のドレン管である。
【００３４】
また、高圧電源供給手段１７および送水ポンプ１６は、図示しない制御装置に接続されて制御装置により制御されるようになっている。因みに、本実施形態では、図示しない操作スイッチを操作することで、図示しない制御装置により高圧電源供給手段１７および送水ポンプ１６が制御されて、貯水タンク２０に貯えられた被処理水が通水管１１を流通させることで、第１、第２放電部１４、１５により被処理水中で放電させて浄化するものである。
【００３５】
次に、以上の構成による水処理装置１０の作動を図２および図３に基づいて説明する。なお、図３は、第１、第２放電部１４、１５によって発生するプラズマチャネル内部とプラズマチャネル外部とにおいて、被処理水中の有機物の酸化メカニズムを示した説明図である。まず、図２に示すように、通水管１１の上流側の第１放電部１４においては、陽極１４ａと陰極１４ｂとの間に高電圧パルスを印加されることにより、陽極１４ａと陰極１４ｂとの間の被処理水中で放電する。
【００３６】
この放電により、強力な衝撃波、高い電界強度、酸素活性種の生成、強力な紫外線照射、およびオゾンの生成が被処理水に同時に発生することで、被処理水中の有機物の酸化、分解が行なわれることにより被処理水の浄化ができると云われている（例えば、Ｓｕｎら、２０００の文献による）。
【００３７】
具体的には、図３に示すように、プラズマチャネル内部では、被処理水から酸素活性種として、例えば、ヒドロキシラジカル（ＯＨ・）および過酸化水素（Ｈ２Ｏ２）と、溶存酸素（Ｏ２）が生成される。また、プラズマチャネル外部では、紫外線照射、衝撃波および電界強度により生成された酸素活性種が有機物と化学反応を起こし被処理水中の有機物に反応して酸化、分解されるとともに、プラズマチャネル内部で生成された過酸化水素（Ｈ２Ｏ２）が反応して上記ヒドロキシラジカル（ＯＨ・）が生成される。
【００３８】
ところで、放電によって生成される上記酸素活性種は、酸化還元電位が次亜塩素酸よりも同等もしくは強いため殺菌作用を有しているものである。特に、この中でヒドロキシラジカル（ＯＨ・）は、一般的に殺菌作用の反応特性が高いとともに、酸化力も強いため被処理水中の有機物に反応して酸化、分解することで汚染物質の分解と微生物の殺菌、死滅させることで浄化ができるものである。
【００３９】
ここで、ヒドロキシラジカル（ＯＨ・）の酸化力について説明すると、このヒドロキシラジカル（ＯＨ・）は、約１２０ｋｃａｌ／ｍｏｌ相当のエネルギ−を保有している。これに対し、有機物を構成する分子中の水素−炭素結合では、約９９ｋｃａｌ／ｍｏｌ相当のエネルギ−を有し、酸素−水素結合では、約１１１ｋｃａｌ／ｍｏｌ相当のエネルギ−を有し、炭素−炭素結合では、約８３ｋｃａｌ／ｍｏｌ相当のエネルギ−を有しているが、ヒドロキシラジカル（ＯＨ・）のエネルギ−は、これらより大きいために分子間の結合を容易に分断してしまう。従って、ヒドロキシラジカル（ＯＨ・）によって、炭素はＣＯ２に、水素はＨ２Ｏに酸化分解される。これにより、ヒドロキシラジカル（ＯＨ・）の酸化力が強いと言える所以である。
【００４０】
一方、放電によって生成された溶存酸素（Ｏ２）は、通水管１１の内壁に製膜されたポリアニリン１２に供給されることにより、下記化学反応式（１）によって示されるように、第１放電部１４の陰極１４ｂからの陰イオン（ｅ−）と反応して酸素活性種であるスーパーオキシド（Ｏ・２−）が生成されるとともに、下記化学反応式（２）によって示されるように一部のスーパーオキシド（Ｏ・２−）が水素イオン（Ｈ＋）と反応して過酸化水素（Ｈ２Ｏ２）と溶存酸素（Ｏ２）が生成される。
【００４１】
【化１】Ｏ２＋ｅ−→Ｏ・２−
【００４２】
【化２】２Ｏ・２−＋２Ｈ＋→Ｈ２Ｏ２＋Ｏ２
そして、スーパーオキシド（Ｏ・２−）および過酸化水素（Ｈ２Ｏ２）は、下流側の第２放電部１５の放電によって、ヒドロキシラジカル（ＯＨ・）がより多く生成される。しかも、通水管１１が垂直方向に配設され、かつ下方から上方に向けて被処理水を流通されているため、第１放電部１４によって発生した気泡が第２放電部１５に送り込まれ、第２放電部１５においても、この気泡の表面に放電が起こることで、更なるヒドロキシラジカル（ＯＨ・）が生成される。このように、第１放電部１４と第２放電部１５との少なくとも二箇所で放電させることにより、より多くのヒドロキシラジカル（ＯＨ・）を生成させることで、殺菌作用をより高めることができるものである。
【００４３】
ところで、溶存酸素（Ｏ２）からスーパーオキシド（Ｏ・２−）を生成して酸化されたポリアニリン１２は、第１、第２放電部１４、１５の陰極１４ｂ、１５ｂ側と導通しているため、放電時に供給される還元電流によって酸化が還元される。これにより、スーパーオキシド（Ｏ・２−）の生成が途絶えることなく行なうことができる。
【００４４】
次に、発明者の研究によると、通水管１１に設けたポリアニリン１２の有無、および放電部１４、１５の配設個数によって生成されるヒドロキシラジカル（ＯＨ・）の発生量が異なることをＣ．Ｃｏｍｎｉｎｅｌｌｉｓにて記載されているＮＮジメチル−Ｐ−ニトロソアニリン（ＲＮＯ）を用いた吸光度の変化より求めることができることを見出したので、図４および図５に基づいて説明する。
【００４５】
すなわち、図４は、ポリアニリン１２のみと、放電部１４、１５一箇所とポリアニリン１２とを組み合わせたときのヒドロキシラジカル（ＯＨ・）の発生を吸光度の変化特性より求めてそれぞれを比較したものである。図中▲１▼に示す変化特性がポリアニリン１２および放電部１４、１５が無しのときを示し、図中▲２▼に示す変化特性がポリアニリン１２のみを設けたときを示し、図中▲３▼に示す変化特性がポリアニリン１２と放電部１４、１５を一箇所設けたときを示している。
【００４６】
これによれば、図中▲２▼に示すポリアニリン１２のみでは、殆どヒドロキシラジカル（ＯＨ・）の発生がなく、図中▲３▼に示すポリアニリン１２と放電部１４、１５を一箇所設けることでヒドロキシラジカル（ＯＨ・）の発生が増加していることが分かった。
【００４７】
さらに、図５は、ポリアニリン１２の有無と放電部１４、１５の配設個数を変えたときのヒドロキシラジカル（ＯＨ・）の発生を吸光度の変化特性より求めてそれぞれを比較したものである。図中▲１▼に示す変化特性がポリアニリン１２および放電部１４、１５が無しのときを示し、図中▲２▼に示す変化特性がポリアニリン１２を設けずに、放電部１４、１５を一箇所のみ配設したときを示し、図中▲３▼に示す変化特性がポリアニリン１２を設けずに、放電部１４、１５を二箇所のみ配設したときを示し、図中▲４▼に示す変化特性がポリアニリン１２と放電部１４、１５を二箇所とを配設したときを示している。
【００４８】
これによれば、本実施形態のように、図中▲４▼に示すポリアニリン１２と放電部１４、１５を二箇所とを配設させることで、より多くのヒドロキシラジカル（ＯＨ・）の発生が得られることが分かった。
【００４９】
以上の一実施形態による水処理装置１０によれば、ポリアニリン１２が製膜された通水管１１に二つの第１、第２放電部１４、１５を配置して、上流側の第１放電部１４の放電によって被処理水から酸素活性種および溶存酸素（Ｏ２）を生成させてポリアニリン１２に供給させた後、下流側の第２放電部１５の放電によってより多くの酸素活性種を生成させて被処理水中の汚染物質の分解および微生物の殺菌を行なうことにより、第１放電部１４によって、酸素活性種であるヒドロシキラジカル（ＯＨ・）や溶存酸素（Ｏ２）が生成され、ポリアニリン１２によって、溶存酸素（Ｏ２）から酸素活性種であるスーパーオキシド（Ｏ・２−）が生成され、かつ第２放電部１５によってスーパーオキシド（Ｏ・２−）からヒドロシキラジカル（ＯＨ・）が生成される。
【００５０】
このヒドロシキラジカル（ＯＨ・）は、酸素活性種のうちで、特に殺菌作用の反応特性や酸化力が優れているため、有機物などの化学物質の分解や細菌、植物性プランクトンなど微生物の殺菌、死滅を行なうことができる。
【００５１】
また、第１、第２放電部１４、１５の放電においては、被処理水から直にヒドロシキラジカル（ＯＨ・）が生成されることで、被処理水中の有機物が酸化され、かつ分解できる。
【００５２】
また、旋回手段１３により被処理水の流通を旋回させることにより、満遍なく被処理水中の溶存酸素（Ｏ２）がポリアニリン１２に供給されることで、このポリアニリン１２によるスーパーオキシド（Ｏ・２−）の生成が途絶えることなく行なうことができる。
【００５３】
また、通水管１１を流通する被処理水を下方から上方に向けて流通させることにより、第１放電部１４によって発生した気泡が第２放電部１５に送り込まれ、第２放電部１５においても、この気泡の表面で放電が起こることで、更なるヒドロキシラジカル（ＯＨ・）が生成できる。
【００５４】
また、通水管１１および第１、第２放電部１４、１５を互いに複数個、並列に設けられたことにより、被処理水の浄化能力を高めることができる。
【００５５】
（他の実施形態）
以上の一実施形態では、ポリアニリン１２が製膜された通水管１１に二つの第１、第２放電部１４、１５を配設させたが、これに限らず、第１、第２放電部１４、１５を二つ以上複数個多段に配設させても良い。
【００５６】
また、以上の実施形態では、水処理装置１０と被処理水を貯えるための貯水タンク２０とを組み合わせる説明をしたが、これに限らず、貯水タンク２０を設けなくても水処理装置１０側に被処理水を供給するようにしても良い。
【００５７】
また、以上の実施形態では、閉鎖性水域（例えば、湖沼、内湾）で汚染された被処理水を浄化する水処理装置１０に適用させて説明したが、これらの用途に限らず、近年問題となっているタンカーや貨物船の安定を保つためのバラスト水の浄化に適用しても良い。このときには海水中に含まれる貝毒プランクトンなどの微生物の殺菌、死滅が可能である。
【００５８】
また、閉鎖性水域、バラスト水の他にも塩素消毒を実施している合併浄化槽の排水や生活排水などの浄化にも適用が可能である。
【図面の簡単な説明】
【図１】本発明の一実施形態における水処理装置１０の全体構成を示す模式図である。
【図２】本発明の一実施形態における通水管１１の内部構成を示す構成図である。
【図３】本発明の一実施形態における第１、第２放電部１４、１５による有機物の酸化メカニズムを示す説明図である。
【図４】本発明の一実施形態における吸光度と波長との関係を示す特性図である。
【図５】本発明の一実施形態における吸光度と波長との関係を示す特性図である。
【符号の説明】
１１…通水管
１２…ポリニアリン
１３…旋回手段
１４…第１放電部（放電部）
１５…第２放電部（放電部）
ＯＨ・…ヒドロキシラジカル
【図１】
2004089935.tif 000003
【図２】
2004089935.tif 000004
【図３】
2004089935.tif 000005
【図４】
2004089935.tif 000006
【図５】
2004089935.tif 000007